(57)【要約】【課題】  重金属を高吸収する植物であって、収穫量・年間栽培回数の多い植物を選択すると共に重金属の吸収を高めるための栽培技術を確立することにより、土壌中の重金属の除去回収率が向上したファイトレメディエーションによる土壌中重金属の除去及び回収方法を提供する。【解決手段】  イネ科カラスムギ属えん麦野生種（Ａｖｅｎａ  ｓｔｒｉｇｏｓａ）に属する植物を土壌で栽培し、該土壌中の重金属を吸収、蓄積させた後、前記植物を収穫し、前記土壌中の重金属を回収する。【選択図】        図１
2005279637.tif 000002
【特許請求の範囲】
【請求項１】
イネ科カラスムギ属えん麦野生種（Ａｖｅｎａ  ｓｔｒｉｇｏｓａ）に属する植物を、土壌で栽培し、該土壌中の重金属を吸収、蓄積させた後、
前記植物を収穫し、前記土壌中の重金属を回収することを特徴とする土壌中重金属の除去及び回収方法。
【請求項２】
前記植物が、ネグサレタイジ（Ａｖｅｎａ  ｓｔｒｉｇｏｓａ  Ｓｃｒｅｂ．）、ヘイオーツ、及びニューオーツからなる群から選択される１種以上である請求項１に記載の土壌中重金属の除去及び回収方法。
【請求項３】
前記植物を、ｐＨが４．５〜７．５の前記土壌で栽培する請求項１又は２に記載の土壌中重金属の除去及び回収方法。
【請求項４】
前記土壌中の重金属が、亜鉛、カドミウム、またはこれらの金属を含有する化合物である請求項１〜３のいずれか一項に記載の土壌中重金属の除去及び回収方法。
【請求項５】
前記植物を収穫した後、この植物を亜鉛製錬に用いる製錬炉内に供給し、この亜鉛製錬の過程で亜鉛及び／又はカドミウムを回収する請求項１〜４のいずれか一項に記載の土壌中重金属の除去及び回収方法。
【発明の詳細な説明】
【技術分野】
【０００１】
本発明は、ファイトレメディエーション法に関するものであり、特に、えん麦野生種に属する植物を用いて土壌中の重金属を除去及び回収する方法に関するものである。
【背景技術】
【０００２】
従来より、カドミウム（Ｃｄ）等による汚染土壌の修復には、排土、客土等の土木工事が行われている。しかし、この方法では、コストが高いことや排土した土壌の処分等に問題を抱えていることから、新たな技術開発が求められている。その解決策の一つとして、土壌中のカドミウム等の重金属を、植物によって除去する“ファイトレメディエーション法”という技術が再評価されている。
【０００３】
ファイトレメディエーション（Ｐｈｙｔｏｒｅｍｅｄｉａｔｉｏｎ）とは、環境汚染物質を植物が蓄積・分解する能力を利用したレメディエーション法（汚染浄化・修復法）である。ここで、ファイト（Ｐｈｙｔｏ）とは、植物のことをいう。
【０００４】
具体的には、植物が根から水分や養分を吸収する能力を利用して、土壌や地下水から有害物質を取り除く方法である。または、根圏を形成する根粒菌や微生物（分解微生物：フェノール資化性菌等の土壌菌）等との共同作業により浄化する方法もある。
【０００５】
これらには、植物の体内や微生物の働きにより汚染物質が分解される場合と、植物の体内に吸収・濃縮される場合とがあり、吸収・濃縮される場合は、その植物を刈り取ることで汚染物質の除去ができる。重金属の場合は、汚染を取り除くだけでなく、濃縮した重金属を抽出・回収することが可能であり、重金属の再生利用が可能となる。
【０００６】
このようなファイトレメディエーション方法としては、例えば、ケナフ等のアオイ科フヨウ属の植物を対象土壌で栽培することによって、この植物に重金属を吸収させた後、この植物を収穫する方法がある（例えば、特許文献１参照）。
【特許文献１】特開２００２−３３１２８１号公報
【発明の開示】
【発明が解決しようとする課題】
【０００７】
しかしながら、このファイトレメディエーション法は、低コストでカドミウム等を除去できる反面、除去スピードが遅いことが一番の問題であった。
【０００８】
また、特許文献１に係る浄化方法にあっては、ケナフは熱帯性植物であるため、種まきの時期が４月後半から６月頃となり、秋冬場の休閑期（裏作）には栽培できないという問題があった。
【０００９】
そこで、植物による重金属汚染土壌の効率的浄化技術を開発し、実用化するためには、（１）重金属を高吸収する植物の選択と併せて、吸収を高めるための栽培技術及び増収技術体系の確立、（２）栽培植物体の効率的収穫技術の確立、（３）収穫物の安全で効率的処理法の確立等の課題解決が急務となる。
【００１０】
本発明は、上記従来技術の問題点に鑑み、重金属を高吸収する植物であって、収穫量・年間栽培回数の多い植物を選択すると共に重金属の吸収を高めるための栽培技術を確立することにより、土壌中の重金属の除去回収率が向上したファイトレメディエーションによる土壌中重金属の除去及び回収方法を提供することを目的とする。
【課題を解決するための手段】
【００１１】
かかる課題を解決するため、
請求項１にかかる発明は、イネ科カラスムギ属えん麦野生種（Ａｖｅｎａ  ｓｔｒｉｇｏｓａ）に属する植物を、土壌で栽培し、該土壌中の重金属を吸収、蓄積させた後、前記植物を収穫し、前記土壌中の重金属を回収することを特徴とする土壌中重金属の除去及び回収方法である。
【００１２】
請求項２にかかる発明は、前記植物が、ネグサレタイジ（Ａｖｅｎａ  ｓｔｒｉｇｏｓａ  Ｓｃｒｅｂ．）、ヘイオーツ、及びニューオーツからなる群から選択される１種以上である請求項１に記載の土壌中重金属の除去及び回収方法である。
【００１３】
請求項３にかかる発明は、前記植物を、ｐＨが４．５〜７．５の前記土壌で栽培する請求項１又は２に記載の土壌中重金属の除去及び回収方法である。
【００１４】
請求項４にかかる発明は、前記土壌中の重金属が、亜鉛、カドミウム、またはこれらの金属を含有する化合物である請求項１〜３のいずれか一項に記載の土壌中重金属の除去及び回収方法である。
【００１５】
請求項５にかかる発明は、前記植物を収穫した後、この植物を亜鉛製錬に用いる製錬炉内に供給し、この亜鉛製錬の過程で亜鉛及び／又はカドミウムを回収する請求項１〜４のいずれか一項に記載の土壌中重金属の除去及び回収方法である。
【発明の効果】
【００１６】
本発明の土壌中重金属の除去及び回収方法によれば、えん麦野生種に属する植物を用いることにより、重金属の高吸収が可能で、土壌中の重金属の除去回収率が向上したファイトレメディエーションとなる。
【００１７】
また、本発明の土壌中重金属の除去及び回収方法によれば、えん麦野生種に属する植物を用いることにより、収穫量が多く、また秋冬場も含めて年間多数回栽培することができるため、土壌中の重金属の除去回収率を向上させることができる。
【００１８】
さらに、本発明の土壌中重金属の除去及び回収方法によれば、えん麦野生種に属する植物を休閑又は裏作として栽培することにより、えん麦野生種に属する植物は土壌中の植物寄生線虫の密度を低下させるため、土壌中の重金属の除去及び回収を行うと共に表作への植物寄生線虫による被害を抑制することができる。
【発明を実施するための最良の形態】
【００１９】
本発明の土壌中重金属の除去及び回収方法は、イネ科カラスムギ属えん麦野生種（Ａｖｅｎａ  ｓｔｒｉｇｏｓａ）に属する植物を、土壌で栽培し、該土壌中の重金属を吸収、蓄積させた後、前記植物を収穫し、前記土壌中の重金属を回収するものである。
【００２０】
本発明で使用する植物は、イネ科カラスムギ属えん麦野生種（Ａｖｅｎａ  ｓｔｒｉｇｏｓａ）に属する植物である。えん麦とは、イネ科イチゴツナギ亜科カラスムギ連カラスムギ属に属する植物であり、その品種には、耕作種（Ａｖｅｎａ  ｓａｔｉｖａ  Ｌ．）と、野生種（Ａｖｅｎａ  ｓｔｒｉｇｏｓａやＡｖｅｎａ  ｓｔｒｉｇｏｓａ  Ｓｃｒｅｂ．）とがある。えん麦耕作種は、飼料用に栽培されており、品種名でアムリＩＩ、前進、スーパーハヤテ、エンダックス等がある。
【００２１】
一方、えん麦野生種は、一般には、緑肥作物として知られており、また土壌中の植物寄生線虫の密度を低下させる防除作物として用いられているものである。そのなかでも、ネグサレタイジ（Ａｖｅｎａ  ｓｔｒｉｇｏｓａ  Ｓｃｒｅｂ．）、ヘイオーツ（Ａｖｅｎａ  ｓｔｒｉｇｏｓａ）、及びニューオーツ（Ａｖｅｎａ  ｓｔｒｉｇｏｓａ）からなる群から選択される１種以上であることが好ましく、ネグサレタイジが、より好ましい。この３種の品種の一般的な特性を、表１に示す。
【００２２】
【表１】
2005279637.tif 000003
【００２３】
表１において、◎は最適、○は適、×は不適を意味する。耐寒性や酸性に優れている品種については、寒冷地や酸性土壌でも栽培が可能である。
【００２４】
本発明の対象となる土壌は、農業用地、工業用地、市街地、住宅地等のすべての土地の土壌である。重金属により人工的に高濃度に汚染された工場跡地のような土壌であっても構わないし、自然汚染の農地のような土壌であってもよい。
【００２５】
また、土壌の土性は、排水性、保水性、養分保持力、養分含量、根群の伸張の良否の観点から、砂壌土、壌土、埴壌土、埴土であることが好ましい。
【００２６】
また、本発明における土壌中の重金属とは、カドミウム、亜鉛、鉛、銅、水銀等の重金属汚染として問題になっている金属種及びそれらの金属を含有する化合物が挙げられる。そのなかでも、カドミウム、亜鉛、またはこれらの金属を含有する化合物であることが好ましい。
なお、対象となる土壌には、上記重金属以外のいかなる金属が含まれていても、また含まれていなくても構わない。
【００２７】
上記土壌に、この植物を栽培させるには、そのままの土壌を用いてもよいし、必要に応じ土壌改良施用資材又は肥料等を用いて土壌環境を改変してもよい。
このような施用資材としては、アンモニウム、カリウム、リン酸、カルシウム、マグネシウム、ナトリウム等の水溶性塩を施用することができる。
【００２８】
具体的には、塩化アンモニウム、硫酸アンモニウム、リン酸アンモニウム、酢酸アンモニウム、硝酸アンモニウム、塩化カリウム、硫酸カリウム、硫酸加里苦土、ケイ酸カリウム、エチレンジアミン四酢酸カリウム、シュウ酸カリウム、クエン酸カリウム、過リン酸石灰、熔成リン肥、重過リン酸石灰、塩化カルシウム、硫酸カルシウム、水酸化カルシウム、炭酸カルシウム、硝酸カルシウム、生石灰、酢酸カルシウム、クエン酸カルシウム、エチレンジアミン四酢酸カルシウム、塩化マグネシウム、炭酸マグネシウム、ケイ酸マグネシウム、エチレンジアミン四酢酸マグネシウム、塩化ナトリウム、シュウ酸ナトリウム、クエン酸ナトリウム、エチレンジアミン四酢酸ナトリウムや窒素、カリウム、リン等を含む配合肥料及び高度化成肥料や窒素、カリウムを含む配合肥料等が挙げられる。
【００２９】
そのなかでも、土壌中の粘土に置換吸着しているカドミウムを可溶化させる観点から、塩化カリウムが好ましい。
【００３０】
このような施用資材は、元肥として植物に与えてもよいし、追肥として与えてもよい。追肥として塩化カリウムを与えることにより、えん麦野生種に属する植物へのカドミウム、亜鉛の吸収を助長させることができる。また、えん麦野生種に属する植物へのカドミウム、亜鉛の吸収については、カドミウムの吸収量が増えるにしたがって、亜鉛の吸収量も増加する傾向にある。
【００３１】
上記土壌から重金属を除去及び回収するため、本発明で用いる植物を栽培させる手法としては、上記土壌に適当な時期に直接播種する露地栽培による方法や、苗床による苗、育苗箱による苗、セル苗、ポット苗、プラグ苗、ペーパーポット苗等の栽培に適した形態で育成した苗又は栄養繁殖した植物体を移植する方法等が挙げられる。そして、植物及び汚染土壌の状態に応じて、これらの方法を任意に取ることができる。
【００３２】
また、上記植物を栽培する土壌のｐＨは、４．５〜７．５、好ましくは４．８〜６．５、より好ましくは５〜６の範囲が適当である。特に、カドミウムは、土壌のｐＨが酸性側にあると土壌から溶出されやすいため、環境を汚染しない範囲で、希塩酸、希硫酸、塩化鉄塩、硫酸塩等を添加して、土壌のｐＨを酸性側に調整するのが好ましい。えん麦野生種に属する植物は、酸性に強いため、このような酸性土壌でも栽培することができる。
【００３３】
土壌のｐＨを４．５〜７．５としてえん麦野生種に属する植物を生育することにより、カドミウムが植物に吸収され易くなるため、重金属、特にカドミウムの除去回収率を向上させることができる。
【００３４】
本発明における植物は、重金属を吸収するのに適した期間で栽培する。植物を生育させる時期は、栽培条件その他により任意に設定できる。本発明で使用する、えん麦野生種に属する植物は、ケナフのような熱帯性植物と異なり、気温が低くても生育できるため、春から夏、夏から秋にかけての時期だけでなく、秋から春にかけての休閑（裏作）期にも栽培することができる。
【００３５】
また、えん麦野生種に属する植物は、約２ヶ月の栽培期間でも充分収穫できるため、年間多数回にわたり栽培を繰り返すことができる。えん麦野生種に属する植物の年間栽培回数を多くすることにより、土壌中の重金属の除去回収率をさらに向上させることができる。
【００３６】
土壌中の重金属をえん麦野生種に属する植物に吸収、蓄積させた後、この植物の茎並びに葉を含む植物体地上部及び／又は根を含む植物体地下部を適当な方法で収穫する。そのなかでも、重金属の除去回収率を高める観点から、地上部のみを刈り取るだけでなく、根も掘り起こして収穫するのが好ましい。
また、この吸収、蓄積期間は、栽培条件、土壌条件、吸収可能な重金属量、その他の条件により変更することが可能である。
【００３７】
さらに、収穫は、青刈りの状態で行ってもよいし、植物を枯死させ、乾燥させてから行ってもよい。そのなかでも、落穂による重金属の土壌への逆戻りを防止する点から、出穂前の青刈りにより収穫するのが好ましい。なお、青刈りとは、実が熟す前に植物を採取することをいう。
【００３８】
えん麦野生種に属する植物は、上述したように、緑肥作物として一般的に知られているが、本発明にあっては、土壌中の重金属をえん麦野生種に属する植物に吸収させて除去・回収することを目的とするため、収穫後すき込んで緑肥として使用することはない。
【００３９】
植物が吸収した重金属の量は、植物を収穫後、乾燥させ、植物体地上部又は植物体地下部の各部位毎に測定する。まず、各部位を硝酸・過塩素酸の混酸で分解し、残渣を濾過後、試料溶液として調製し、高周波誘導結合プラズマ発光分析（ＩＣＰ−ＡＥＳ）法又は原子吸光法（ＡＡＳ）等の分析法を用いて重金属の濃度を測定することができる。
【００４０】
収穫した植物は、蓄積した重金属を濃縮させ、抽出・回収する。重金属を濃縮させる処理としては、例えば、乾燥処理や焼却、粉砕、融解、微生物による分解、堆肥化等の方法による分解処理等が挙げられる。そのなかでも、この植物を亜鉛製錬に用いる製錬炉内に供給し、亜鉛製錬の過程で亜鉛及び／又はカドミウムを回収する方法が、コストと重金属の回収率の観点から、好ましい。
【００４１】
図１は、本発明に係る亜鉛及び／又はカドミウム回収方法に用いる亜鉛製錬方法の一例を示す工程図である。
【００４２】
ここに示す製錬方法では、まず、亜鉛原料である亜鉛精鉱（金属原料）を、製錬炉である焙焼炉で焙焼し、焼鉱を生産する。このような焙焼炉としては、ウェッジ焙焼炉、フラッシュ焙焼炉、流体焙焼炉が使用可能である。この時、亜鉛精鉱中の硫化亜鉛の一部は、焙焼により酸化され、酸化亜鉛となる。また、焙焼炉内の温度は、８８０〜９３０℃とするのが好ましい。
【００４３】
焼鉱中の硫黄濃度は１〜２質量％であるのが好ましい。また、焼鉱のうち、粒径の大きいものは、破砕して再び焙焼炉に供給するのが好ましい。
【００４４】
収穫した、えん麦野生種に属する植物は、この工程において、亜鉛精鉱と共に焙焼炉内に供給する。上記植物は、あらかじめ乾燥させておくのが好ましい。この工程では、焙焼炉内に供給された植物に含まれる有機物等が熱分解され、土壌から吸収・蓄積した重金属を含有する焼鉱が得られる。
【００４５】
また、えん麦野生種に属する植物を焙焼炉内に供給する際には、これを焙焼炉内の亜鉛精鉱表面（上面）の少なくとも一部（好ましくはほぼ全面）を覆うように供給するのが好ましい。この操作を行うことで、亜鉛精鉱を保温し、焙焼炉の加熱効率を高めることができ、加熱コストを削減することができる。
【００４６】
次いで、上記焼鉱を中性浸出槽において、後述する電解尾液（硫酸等）を用いて浸出処理し、亜鉛を含む浸出液である中性液に処理する。この処理方法としては、単式浸出法、複式浸出法、逆浸出法が挙げられる。
この工程では、ＭｎＯ２を用いてＦｅを酸化し、Ｆｅ（ＯＨ）３として沈殿させると共に、Ａｓ、Ｓｂも共沈させ、これらを溶解残渣と共に濾過により除去する。
【００４７】
次いで、浸出工程で得られた中性液（亜鉛含有浸出液）は、第一浄液槽に供給される。この第一浄液槽に、亜鉛末、亜ヒ酸等を添加し、中性液中のＣｕ、Ｎｉ、Ｃｏ等の不純物を第一浄液渣として除去する。
【００４８】
その後、第一浄液槽を経た中性液は、第二浄液槽に供給される。この第二浄液槽に、さらに亜鉛末を添加して、カドミウムを第二浄液渣として置換析出する。
なお、ここでは２段階の工程（第一及び第二浄液槽）を有する浄液工程を例示したが、浄液工程は３段階以上としてもよい。
【００４９】
置換析出したカドミウムを含む第二浄液渣は、カドミウム製錬工程に送られ、第二浄液渣からカドミウムが回収される。カドミウムの製錬には、従来公知の方法を用いることができる。
【００５０】
一方、第二浄液槽を経た浄液は、電解槽に供給され、亜鉛を電解採取する。得られた電解亜鉛は低周波電気炉で溶融され、亜鉛が回収される。なお、この時、電解槽で用いられた電解尾液（硫酸等）は、前記浸出工程における中性浸出槽に供給され、再利用される。
【００５１】
上記亜鉛及び／又はカドミウム除去及び回収方法によれば、えん麦野生種に属する植物を焙焼炉に供給し、製錬の過程（焙焼、浸出、浄液、亜鉛製錬、カドミウム製錬）で亜鉛及び／又はカドミウムを除去及び回収するので、既存の製錬方法をそのまま利用することができ、低コストで、かつ容易に亜鉛及び／又はカドミウムを除去及び回収することができる。
【００５２】
また、原料（亜鉛精鉱）由来のカドミウムのうち多くの部分が焼鉱、中性液を経て浄液渣に移行するため、上記植物を亜鉛製錬工程に供給することにより、上記植物中のカドミウムを、原料（亜鉛精鉱）由来のカドミウムと共に回収することができる。
【００５３】
また、このような簡単な操作で、えん麦野生種に属する植物由来の亜鉛及び／又はカドミウムを回収することができるため、亜鉛及び／又はカドミウムの回収コストを抑えると共に、これらの回収率を高めることができる。
【実施例】
【００５４】
以下、実施例により、本発明をさらに詳しく説明する。本発明は、下記実施例に何ら制限されるものではない。
【００５５】
［実施例１］
重金属に複合汚染された壌土質土壌（塩基置換容量１１〜１３ｍｅ／１００ｇ）に、尿素硫化燐安４８号を５００ｇ／５ｍ２施用し、耕起整地した。この土壌中の重金属含有量を、原子吸光分光分析装置（日本ジャレル・アッシュ株式会社製）を用いて測定したところ、カドミウム３．８８ｍｇ／ｋｇ、亜鉛９５０ｍｇ／ｋｇ、銅１００ｍｇ／ｋｇ、鉛１３０ｍｇ／ｋｇであった。
【００５６】
耕起整地した土壌に、えん麦野生種のネグサレタイジ（Ａｖｅｎａ  ｓｔｒｉｇｏｓａ  Ｓｃｒｅｂ．）を、１０月上旬に５０ｇ／５ｍ２で播種し、通常の栽培管理（露地栽培、自然排水）をした。肥料は、元肥として、尿素硫化燐安４８号５００ｇ／５ｍ２のみを施用した場合と、尿素硫化燐安４８号５００ｇ／５ｍ２及び塩化カリウム２００ｇ／５ｍ２を併用して施用した場合とに分けて実施した。
【００５７】
元肥に尿素硫化燐安４８号及び塩化カリウを施用した場合については、さらに追肥として、まったく追肥を行わなかった場合と、１ヶ月ごとの追肥、２ヶ月ごとの追肥をした場合とに分けて実施した。この追肥は、播種１ヶ月後から塩化カリウム２００ｇ／５ｍ２を固体で散布した。
【００５８】
収穫は、１ヶ月ごとに青刈りで植物体地上部を採取した。収穫時の草丈は、１１月で３０ｃｍ、１２月で５０〜６０ｃｍ、１月で６０ｃｍ、３月で７０〜８０ｃｍであった。
【００５９】
栽培期間中一定の間隔で植物を抜き取り、風乾後、調整して過塩素酸と硝酸の混酸で植物を分解し、残渣を濾過し、得られた溶液を上記原子吸光分光分析装置を用いて、植物体中のカドミウム、亜鉛の濃度を定量した。
植物体中のカドミウム、亜鉛の濃度を、表２に示す。
【００６０】
【表２】
2005279637.tif 000004
【００６１】
表２中の「施肥方法」で、「塩化カリ無散布」とは、元肥として尿素硫化燐安４８号のみを施用した場合、「塩化カリ元肥施用」とは、元肥として尿素硫化燐安４８号及び塩化カリウムを施用し、塩化カリウムの追肥を施用しなかった場合、「塩化カリ月１回追肥」とは、元肥として尿素硫化燐安４８号及び塩化カリウムを施用し、塩化カリウムの追肥を１ヶ月ごとに施用した場合、「塩化カリ２ヶ月１回追肥」とは、元肥として尿素硫化燐安４８号及び塩化カリウムを施用し、塩化カリウムの追肥を２ヶ月ごとに施用した場合を、各々意味する。
【００６２】
〈栽培期間中の土壌ｐＨと電気伝導度の挙動について〉
施肥した肥料が植物へ及ぼす影響を把握するため、栽培期間中、植物採取にあわせて土壌を採取し、そのｐＨと電気伝導度（ＥＣ）を測定した。
【００６３】
土壌ｐＨは、土壌を風乾後、２ｍｍ以下の土壌１０ｇに対しイオン水２５ｍＬを加えて３０分振とうさせ、３０分放置後、ガラス電極法で測定した。
また、電気伝導度は、土壌１０ｇにイオン水５０ｍＬを加え、１時間振とう後測定した。
土壌ｐＨと電気伝導度の結果を、表３に示す。
【００６４】
【表３】
2005279637.tif 000005
【００６５】
［比較例１〜８］
栽培する植物を、えん麦耕作種のアムリＩＩ、えん麦耕作種の前進、らい小麦のライスター、らい小麦のライ太郎、イタリアンライグラスのワセフード、イタリアンライグラスのヒーロー、緑肥用カラシナ、ファセリアに替えた以外は、実施例１と同様にして栽培を行った。収穫した植物体中のカドミウム、亜鉛の測定は、実施例１と同様の方法で行った。
【００６６】
また、実施例１と同様の方法で、土壌ｐＨと電気伝導度を測定した。
植物中のカドミウム、亜鉛の濃度を表４に、土壌ｐＨと電気伝導度の結果を表５に、各々示す。
【００６７】
【表４】
2005279637.tif 000006
【００６８】
【表５】
2005279637.tif 000007
【００６９】
実施例１と比較例１〜８の結果から、栽培植物のカドミウム吸収量は、作物や品種間で異なり、イネ科の中では、実施例１のえん麦野生種（ネグサレタイジ）が、比較例１〜８のものよりもカドミウム吸収量が多いことが明らかになった。また、亜鉛吸収量は、カドミウムの吸収量が多いとそれに伴って増大する傾向にあることがわかった。
【００７０】
また、栽培期間中、塩化カリウムの追肥をすると、作物によってカドミウム、亜鉛の吸収が助長されることが確認された。特に、実施例１のえん麦野生種（ネグサレタイジ）は、塩化カリウムを施用することで、カドミウムの吸収が助長されることが明らかになった。また、追肥による生育障害は発生しなかった。
【００７１】
さらに、生育期の時期によるカドミウム吸収量は、出穂期までは大差のないことも明らかになった。
【００７２】
また、実施例１では、栽培期間中、土壌ｐＨは６〜７．５の範囲であった。また、電気伝導度は塩化カリウム無散布ではほぼ６０〜２００μＳ／ｃｍであったのに対し、塩化カリウム追肥の場合は６０〜４００μＳ／ｃｍであった。
【００７３】
以上の結果から、えん麦野生種（Ａｖｅｎａ  ｓｔｒｉｇｏｓａ）に属する植物を土壌で栽培し、土壌中の重金属を吸収、蓄積させた後、この植物を収穫することで、土壌中のカドミウム、亜鉛といった重金属を回収・除去できることが確認された。
【図面の簡単な説明】
【００７４】
【図１】本発明に係る亜鉛及び／又はカドミウム回収方法に用いられる亜鉛製錬方法の一例を示す工程図である。
【図１】
2005279637.tif 000008